(57)【特許請求の範囲】
【請求項１】
コンテンツの再生中にユーザが操作を行った回数を表す操作回数、前記コンテンツの視聴回数、または前記コンテンツの視聴時間に基づいて、前記ユーザの嗜好を表す嗜好情報を取得する取得手段と、
複製対象とするコンテンツを選択する選択手段と、
前記選択手段により選択されたコンテンツを、複製先に複製する複製手段と
を備え、
前記取得手段は、前記複製手段により前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する
情報処理装置。
【請求項２】
前記嗜好情報に基づいて、前記ユーザが嗜好するコンテンツを推定する推定手段と、
前記推定手段により推定されるコンテンツに関する情報を、前記ユーザに提示する提示手段と
をさらに備える
請求項１に記載の情報処理装置。
【請求項３】
前記推定手段により推定されたコンテンツを受信する受信手段と、
前記受信手段により受信されたコンテンツを記録させる記録制御手段と
をさらに備える
請求項２に記載の情報処理装置。
【請求項４】
前記複製対象とするコンテンツが視聴されたかどうかを判定する判定手段
をさらに備え、
前記取得手段は、前記判定手段により前記複製対象とするコンテンツが視聴されていないと判定された場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記嗜好情報を更新する
請求項１に記載の情報処理装置。
【請求項５】
前記取得手段は、前記複製手段により前記複製対象が複製される場合、前記複製先に応じて前記複製対象のコンテンツの前記操作回数、前記視聴回数、または前記視聴時間を更新する
請求項１に記載の情報処理装置。
【請求項６】
情報処理装置が、
コンテンツの再生中にユーザが操作を行った回数を表す操作回数、前記コンテンツの視聴回数、または前記コンテンツの視聴時間に基づいて、前記ユーザの嗜好を表す嗜好情報を取得する取得ステップと、
複製対象とするコンテンツの選択を制御する選択制御ステップと、
前記選択制御ステップの処理により選択されたコンテンツを、複製先に複製する複製ステップと、
前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する更新ステップと
を含む情報処理方法。
【請求項７】
情報処理装置を制御するコンピュータに、
コンテンツの再生中にユーザが操作を行った回数を表す操作回数、前記コンテンツの視聴回数、または前記コンテンツの視聴時間に基づいて、前記ユーザの嗜好を表す嗜好情報を取得する取得ステップと、
複製対象とするコンテンツの選択を制御する選択制御ステップと、
前記選択制御ステップの処理により選択されたコンテンツを、複製先に複製する複製ステップと、
前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する更新ステップと
を含む処理を実行させるプログラム。
【請求項８】
コンテンツの再生中にユーザが操作を行った回数を表す操作回数、前記コンテンツの視聴回数、または前記コンテンツの視聴時間に基づいて、前記ユーザの嗜好を表す嗜好情報を取得する取得手段と、
複製対象とするコンテンツを選択する選択手段と、
前記選択手段により選択されたコンテンツを、複製先に複製する複製手段と、
前記複製先から、前記複製先における前記複製対象のコンテンツの操作回数、視聴回数、または視聴時間を受信する受信手段と
を備え、
前記取得手段は、前記複製手段により前記複製対象が複製される場合、前記受信手段により受信される操作回数、視聴回数、または視聴時間に基づいて自身の前記操作回数、前記視聴回数、または前記視聴時間を更新し、更新された前記自身の操作回数、視聴回数、または視聴時間に基づいて、前記複製対象のコンテンツに対する前記嗜好情報を更新する
情報処理装置。
【請求項９】
前記嗜好情報に基づいて、前記ユーザが嗜好するコンテンツを推定する推定手段と、
前記推定手段により推定されるコンテンツに関する情報を、前記ユーザに提示する提示手段と
をさらに備える
請求項８に記載の情報処理装置。
【請求項１０】
前記推定手段により推定されたコンテンツを受信する受信手段と、
前記受信手段により受信されたコンテンツを記録させる記録制御手段と
をさらに備える
請求項９に記載の情報処理装置。
【発明の詳細な説明】
【技術分野】
【０００１】
本発明は、情報処理装置および情報処理方法、並びにプログラムに関し、特に、コンテンツを他の装置に複製する場合においても、より正確にユーザの嗜好を表す嗜好情報を取得することができるようにした情報処理装置および情報処理方法、並びにプログラムに関する。
【背景技術】
【０００２】
近年、ハードディスク等の大容量の記録媒体を内蔵し、テレビ放送等のコンテンツを録画するコンテンツ視聴機器が広く普及している。
【０００３】
このようなコンテンツ視聴機器においては、コンテンツの再生（視聴）中にユーザが行う操作（例えば、巻き戻し、早送りなど）の履歴（操作履歴）やコンテンツの視聴履歴などから、ユーザの嗜好情報を取得し、その嗜好情報に基づいて、ユーザが嗜好すると推定されるコンテンツの提示、自動録画、または自動再生を行うものがある（例えば、特許文献１、特許文献２、および特許文献３参照）。
【０００４】
一方、コンテンツ視聴機器においては、DVD-R/RW（Digital Versatile Disk Recordable/ReWritable）、DVD+R/RW等のリムーバブルメディアに、コンテンツが複製（ムーブ（移動））される。
【０００５】
また、最近では、USB（Universal Serial Bus）インタフェース等の外部I/F（Interface）を介して、携帯型の視聴機器にコンテンツを複製（ダビング）し、その携帯型の視聴機器を持ち運ぶことにより、屋外等でコンテンツの視聴をすることが可能になってきている。
【特許文献１】特開２００５−１６０１１４号公報
【０００６】
【特許文献２】特開２００５−８００１３号公報
【０００７】
【特許文献３】特開２００３−２３５８９号公報
【発明の開示】
【発明が解決しようとする課題】
【０００８】
しかしながら、コンテンツ視聴機器から携帯型の視聴機器にコンテンツが複製されると、ユーザは、そのコンテンツをコンテンツ視聴機器ではなく、携帯型の視聴機器で視聴することが多くなり、コンテンツ視聴機器において操作履歴や視聴履歴が十分に蓄積されないことがある。
【０００９】
また、著作権保護のために１度しか複製することが許可されていないコンテンツ（コピーワンスコンテンツ）を複製する場合においては、コンテンツを複製した時点でコンテンツ視聴機器に記録されているコンテンツやコンテンツに関連する情報は消去（ムーブ）されるので、コンテンツが複製された後は、そのコンテンツの操作履歴や視聴履歴が蓄積されない。
【００１０】
その結果、コンテンツの操作履歴や視聴履歴から取得される嗜好情報の精度が低下し、これにより、その嗜好情報に基づいて、ユーザが嗜好すると推定される適切なコンテンツを、推薦コンテンツとして提示することが困難となる。
【００１１】
本発明は、このような状況に鑑みてなされたものであり、より正確にユーザの嗜好を表す嗜好情報を取得することができるようにするものである。
【課題を解決するための手段】
【００１２】
本発明の第１の側面の情報処理装置は、コンテンツの再生中にユーザが操作を行った回数を表す操作回数、前記コンテンツの視聴回数、または前記コンテンツの視聴時間に基づいて、前記ユーザの嗜好を表す嗜好情報を取得する取得手段と、複製対象とするコンテンツを選択する選択手段と、前記選択手段により選択されたコンテンツを、複製先に複製する複製手段とを備え、前記取得手段は、前記複製手段により前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する。
【００１３】
前記情報処理装置は、前記嗜好情報に基づいて、前記ユーザが嗜好するコンテンツを推定する推定手段と、前記推定手段により推定されるコンテンツに関する情報を、前記ユーザに提示する提示手段とをさらに設けることができる。
【００１４】
前記情報処理装置は、前記推定手段により推定されたコンテンツを受信する受信手段と、前記受信手段により受信されたコンテンツを記録させる記録制御手段とをさらに設けることができる。
【００１６】
前記情報処理装置は、前記複製対象とするコンテンツが視聴されたかどうかを判定する判定手段をさらに設け、前記取得手段は、前記判定手段により前記複製対象とするコンテンツが視聴されていないと判定された場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記嗜好情報を更新することができる。
【００１７】
前記取得手段は、前記複製手段により前記複製対象が複製される場合、前記複製先に応じて前記複製対象のコンテンツの前記操作回数、前記視聴回数、または前記視聴時間を更新するようにすることができる。
【００１８】
本発明の第１の側面の情報処理方法は、情報処理装置が、コンテンツの再生中にユーザが操作を行った回数を表す操作回数、前記コンテンツの視聴回数、または前記コンテンツの視聴時間に基づいて、前記ユーザの嗜好を表す嗜好情報を取得する取得ステップと、複製対象とするコンテンツの選択を制御する選択制御ステップと、前記選択制御ステップの処理により選択されたコンテンツを、複製先に複製する複製ステップと、前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する更新ステップとを含む。
【００１９】
本発明の第１の側面のプログラムは、情報処理装置を制御するコンピュータに、コンテンツの再生中にユーザが操作を行った回数を表す操作回数、前記コンテンツの視聴回数、または前記コンテンツの視聴時間に基づいて、前記ユーザの嗜好を表す嗜好情報を取得する取得ステップと、複製対象とするコンテンツの選択を制御する選択制御ステップと、前記選択制御ステップの処理により選択されたコンテンツを、複製先に複製する複製ステップと、前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する更新ステップとを含む処理を実行させる。
【００２０】
本発明の第１の側面においては、コンテンツの再生中にユーザが操作を行った回数を表す操作回数、前記コンテンツの視聴回数、または前記コンテンツの視聴時間に基づいて、前記ユーザの嗜好を表す嗜好情報が取得され、複製対象とするコンテンツが選択され、その選択されたコンテンツが、複製先に複製され、前記複製対象が複製される場合、前記複製対象のコンテンツが前記複製先で視聴されるものとされて、前記複製対象のコンテンツの前記操作回数、前記視聴回数、または前記視聴時間が更新され、更新後の前記操作回数、前記視聴回数、または前記視聴時間に基づいて、前記複製対象のコンテンツに対する前記嗜好情報が更新される。
本発明の第２の側面の情報処理装置は、コンテンツの再生中にユーザが操作を行った回数を表す操作回数、前記コンテンツの視聴回数、または前記コンテンツの視聴時間に基づいて、前記ユーザの嗜好を表す嗜好情報を取得する取得手段と、複製対象とするコンテンツを選択する選択手段と、前記選択手段により選択されたコンテンツを、複製先に複製する複製手段と、前記複製先から、前記複製先における前記複製対象のコンテンツの操作回数、視聴回数、または視聴時間を受信する受信手段とを備え、前記取得手段は、前記複製手段により前記複製対象が複製される場合、前記受信手段により受信される操作回数、視聴回数、または視聴時間に基づいて自身の前記操作回数、前記視聴回数、または前記視聴時間を更新し、更新された前記自身の操作回数、視聴回数、または視聴時間に基づいて、前記複製対象のコンテンツに対する前記嗜好情報を更新する。
前記情報処理装置は、前記嗜好情報に基づいて、前記ユーザが嗜好するコンテンツを推定する推定手段と、前記推定手段により推定されるコンテンツに関する情報を、前記ユーザに提示する提示手段とをさらに設けることができる。
前記情報処理装置は、前記推定手段により推定されたコンテンツを受信する受信手段と、前記受信手段により受信されたコンテンツを記録させる記録制御手段とをさらに設けることができる。
本発明の第２の側面においては、コンテンツの再生中にユーザが操作を行った回数を表す操作回数、前記コンテンツの視聴回数、または前記コンテンツの視聴時間に基づいて、前記ユーザの嗜好を表す嗜好情報が取得され、複製対象とするコンテンツが選択され、選択されたコンテンツが、複製先に複製され、前記複製先から、前記複製先における前記複製対象のコンテンツの操作回数、視聴回数、または視聴時間が受信され、前記複製対象が複製される場合、受信される操作回数、視聴回数、または視聴時間に基づいて自身の前記操作回数、前記視聴回数、または前記視聴時間が更新され、更新された前記自身の操作回数、視聴回数、または視聴時間に基づいて、前記複製対象のコンテンツに対する前記嗜好情報が更新される。
【発明の効果】
【００２１】
以上のように、本発明の一側面によれば、ユーザの嗜好を表す嗜好情報を取得することができる。
【００２２】
また、本発明の一側面によれば、より正確にユーザの嗜好情報を取得することができる。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２４】
本発明の第１の側面の情報処理装置は、第１に、
コンテンツの再生中にユーザが操作を行った回数を表す操作回数、前記コンテンツの視聴回数、または前記コンテンツの視聴時間（例えば、図５の視聴操作履歴情報３５１）に基づいて、前記ユーザの嗜好を表す嗜好情報を取得する取得手段(例えば、図２の嗜好情報管理部６８)と、
複製対象とするコンテンツを選択する選択手段(例えば、図９のステップＳ５１の処理を実行する図２の複製制御部)と、
前記選択手段により選択されたコンテンツを、複製先に複製する複製手段(例えば、図９のステップＳ５７の処理を実行する図２の複製制御部６３)と
を備え、
前記取得手段は、前記複製手段により前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する (例えば、図９のステップＳ５６の処理)。
【００２５】
本発明の一側面の情報処理装置は、第２に、
前記嗜好情報に基づいて、前記ユーザが嗜好するコンテンツを推定する推定手段（例えば、図２の録画制御部６０）と、
前記推定手段により推定されるコンテンツに関する情報を、前記ユーザに提示する提示手段(例えば、図２の提示部６１)と
をさらに備える。
【００２６】
本発明の一側面の情報処理装置は、第３に、
前記推定手段により推定されたコンテンツを受信する受信手段(例えば、図１のチューナ３１)と、
前記受信手段により受信されたコンテンツを記録させる記録制御手段(例えば、図２の録画制御部６０)と
をさらに備える。
【００２８】
本発明の第１の側面の情報処理装置は、第４に、
前記複製対象とするコンテンツが視聴されたかどうかを判定する判定手段(例えば、図９のステップＳ５３の処理を実行する図２の嗜好情報管理部６８)
をさらに備え、
前記取得手段は、前記判定手段により前記複製対象とするコンテンツが視聴されていないと判定された場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記嗜好情報を更新する。
【００３０】
本発明の第１の側面の情報処理方法は、
情報処理装置が、
コンテンツの再生中にユーザが操作を行った回数を表す操作回数、前記コンテンツの視聴回数、または前記コンテンツの視聴時間に基づいて、前記ユーザの嗜好を表す嗜好情報を取得する取得ステップ（例えば、図９のステップＳ５６）と、
複製対象とするコンテンツの選択を制御する選択制御ステップ（例えば、図９のステップＳ５１）と、
前記選択制御ステップの処理により選択されたコンテンツを、複製先に複製する複製ステップ(例えば、図９のステップＳ５７)と、
前記複製対象が複製される場合、前記複製対象のコンテンツが前記複製先で視聴されるものとして、前記複製対象のコンテンツの前記操作回数、前記視聴回数、または前記視聴時間を更新し、更新後の前記操作回数、前記視聴回数、または前記視聴時間に基づいて、前記複製対象のコンテンツに対する前記嗜好情報を更新する更新ステップ(例えば、図９のステップＳ５６)と
を含む。
本発明の第２の側面の情報処理装置は、
コンテンツの再生中にユーザが操作を行った回数を表す操作回数、前記コンテンツの視聴回数、または前記コンテンツの視聴時間に基づいて、前記ユーザの嗜好を表す嗜好情報を取得する取得手段と、
複製対象とするコンテンツを選択する選択手段と、
前記選択手段により選択されたコンテンツを、複製先に複製する複製手段と、
前記複製先から、前記複製先における前記複製対象のコンテンツの操作回数、視聴回数、または視聴時間を受信する受信手段(例えば、図１４のステップＳ１１１の処理を実行する図１１の複製制御部７０１)と
を備え、
前記取得手段は、前記複製手段により前記複製対象が複製される場合、前記受信手段により受信される操作回数、視聴回数、または視聴時間に基づいて自身の前記操作回数、前記視聴回数、または前記視聴時間を更新し、更新された前記自身の操作回数、視聴回数、または視聴時間に基づいて、前記複製対象のコンテンツに対する前記嗜好情報を更新する（例えば、図１４のステップＳ１４４の処理）。
【００３１】
以下、本発明を適用した具体的な実施の形態について、図面を参照しながら詳細に説明する。
【００３２】
図１は、本発明を適用した映像記録再生装置１１の一実施の形態の構成例を表すブロック図である。
【００３３】
図１において、映像記録再生装置１１には、インターネット、WAN（Wide Area Network）、LAN（Local Area Network）などにより構成されるネットワーク１を介して、サーバ２が接続されている。
【００３４】
サーバ２は、放送番組情報（EPG（Electric Program Guide）情報）や、ネットワーク配信されるコンテンツデータを、映像記録再生装置１１にネットワーク１を介して提供する。なお、EPG情報は、番組の放送スケジュールを表す情報、番組を識別するための情報（以下、番組識別情報という）などから構成される。
【００３５】
また、映像記録再生装置１１には、表示装置１２、アンテナ１３、および携帯機器１４が接続されており、映像記録再生装置１１は、アンテナ１３を介して番組の放送電波を受信し、復調して得られた番組のコンテンツデータを記録したり、表示装置１２に供給して表示させる。また、映像記録再生装置１１は、記録している番組のコンテンツデータなどを携帯機器１４に複製する。
【００３６】
映像記録再生装置１１は、チューナ３１、エンコーダ３２、デコーダ３３、EPG取得モジュール３４、CPU(Central Processing Unit)３５、主記憶装置３６、ネットワークインタフェース３７、ROM（Read Only Memory）３８、主記憶装置３９、補助記憶装置４０、入力部４１、ドライブ４２、外部インタフェース４４、バス５１、およびバス５２から構成される。
【００３７】
バス５２には、チューナ３１、エンコーダ３２、デコーダ３３、EPG取得モジュール３４、ネットワークインタフェース３７、補助記憶装置４０、および入力部４１が接続されている。
【００３８】
チューナ３１は、アンテナ１３により受信された番組の放送電波を復調し、その結果得られる番組のコンテンツデータをエンコーダ３２に出力する。アンテナ１３が受信する番組の放送電波のテレビジョン放送信号の垂直ブランキング期間には、EPG情報（放送番組情報）が含まれている場合がある。そのような場合、チューナ３１は、このEPG情報を抽出し、EPG取得モジュール３４に出力する。
【００３９】
また、ネットワークインタフェース３７は、ネットワーク１とのインタフェース処理を実行する。例えば、ネットワークインタフェース３７は、ネットワーク１を介して、コンテンツデータを取得し、バス５２を介してエンコーダ３２に供給する。さらに、ネットワークインタフェース３７は、ネットワーク１を介して、EPG情報（ネットワーク１を介して取得されるコンテンツデータのEPG情報のみならず、アンテナ１３により受信される放送電波に対応する番組のEPG情報であっても良い）を取得して、それを、バス５２を介してEPG取得モジュール３４に供給する。
【００４０】
エンコーダ３２は、チューナ３１より入力された番組のコンテンツデータ、またはネットワークインタフェース３７より入力されたコンテンツデータを、例えばMPEG（Moving Picture Experts Group）方式でエンコードし、それを、バス５２を介して補助記憶装置４０に供給して記憶させる。
【００４１】
補助記憶装置４０は、例えば、ハードディスク、磁気テープ、リムーバブルディスク、またはフラッシュメモリ等の、記憶容量が十分な大きさの記録媒体を有しており、バス５２を介してエンコーダから供給されたコンテンツデータを、記憶領域に記憶する。なお、以下では、補助記憶装置４０に記憶されるコンテンツデータを、タイトルと総称する。また、補助記憶装置４０は、後述するドライブ４２に装着されたリムーバブルメディア４３より読み出され、供給されたプログラムやデータ等を記憶し、CPU（Central Processing Unit）３５等の要求に基づいてそれらを主記憶装置３６または３９等に供給する。
【００４２】
補助記憶装置４０に記憶されたタイトルは、例えばCPU３５等の、補助記憶装置４０の外部からの要求に基づいて、バス５２を介してデコーダ３３に出力され、MPEG方式でデコードされた後、表示装置１２に供給される。なお、エンコーダ３２とデコーダ３３は、受信された番組のコンテンツデータを補助記憶装置４０に記憶させない場合、チューナ３１より出力された番組のコンテンツデータを、そのまま表示装置１２に出力してもよい。
【００４３】
EPG取得モジュール３４は、チューナ３１またはネットワークインタフェース３７から供給されるEPG情報を、バス５２を介して主記憶装置３６または３９等に供給して記憶させる。
【００４４】
入力部４１は、キーボード、マウス、マイクロホン、図示せぬリモートコントローラから送信されてくる指令を受信する受信部などから構成され、ユーザからの指令を受け付け、その指令をCPU３５に供給する。
【００４５】
バス５２にはまた、CPU３５、ROM３８、およびRAM（Random Access Memory）などよりなる主記憶装置３９が接続されている。主記憶装置３９には、CPU３５が各種の処理（例えば、映像記録再生装置１１全体を制御する処理）を実行する上において必要なプログラム、データ、またはパラメータが適宜記憶される。ROM３８には、CPU３５が実行するプログラムが記憶されている。
【００４６】
また、バス５２には、携帯機器１４とのインタフェース処理を実行する外部インタフェース４４が接続されている。外部インタフェース４４は、例えばUSBインタフェースなどにより構成され、補助記憶装置４０に記憶されているタイトルを読み出し、有線または無線を介して携帯機器１４に送信することにより、タイトルを携帯機器１４に複製する。
【００４７】
さらに、バス５２にはドライブ４２が接続され、磁気ディスク、光ディスク、光磁気ディスク、または、半導体メモリなどのリムーバブルメディア４３が必要に応じて装着される。それらから読み出されたコンピュータプログラムは、必要に応じて補助記憶装置４０にインストールされる。なお、ドライブ４２は、リムーバブルメディア４３からコンテンツデータを取得し、エンコーダ３２に供給してもよい。
【００４８】
CPU３５はまた、エンコーダ３２、デコーダ３３、EPG取得モジュール３４、および主記憶装置３６とともに、バス５１に接続されている。主記憶装置３６は、RAMなどよりなり、例えば、EPG情報に基づく録画予約、録画に関する制御処理等の、CPU３５が各種の処理を実行する上において必要なプログラム、データ、またはパラメータが適宜記憶される。
【００４９】
図２は、図１の映像記録再生装置１１のソフトウェアを中心とした機能的構成例を示すブロック図である。
【００５０】
図２の映像記録再生装置１１は、録画制御部６０、提示部６１、視聴制御部６２、複製制御部６３、ライブ放送再生部６４、録画タイトル再生部６５、録画予約管理部６６、録画タイトル管理部６７、嗜好情報管理部６８、EPGDB６９、録画タイトル情報ＤＢ７０、操作視聴履歴ＤＢ７１、および嗜好情報ＤＢ７２から構成される。
【００５１】
なお、EPGDB６９は、例えば、図１の主記憶装置３９に対応し、録画タイトル情報ＤＢ７０、操作視聴履歴ＤＢ７１、および嗜好情報ＤＢ７２は、例えば、図１の補助記憶装置４０に対応している。
【００５２】
録画制御部６０は、嗜好情報管理部６８から供給される嗜好情報に基づいて、ユーザが嗜好するコンテンツデータを推定する。録画制御部６０は、その推定されるコンテンツデータのEPG情報の番組識別情報３０１（後述する図４）をEPGDB６９から読み出す。録画制御部６０は、推定されるコンテンツデータを推薦コンテンツとし、その推薦コンテンツの番組識別情報３０１に基づいて、推薦コンテンツに関する情報（例えば、推薦コンテンツの名前、放送開始日時、放送終了日時、放送内容など）（以下、推薦コンテンツ情報という）を、提示部６１を介して表示装置１２に表示（提示）させる。
【００５３】
このとき、ユーザは、表示装置１２に表示されている推薦コンテンツ情報を見ながら、入力部４１を操作することにより、録画予約対象とする推薦コンテンツの推薦コンテンツ情報を選択する。録画制御部６０は、ユーザにより選択された推薦コンテンツ情報に対応する推薦コンテンツを、録画予約対象として、録画予約管理部６６を制御し、その録画予約対象の録画予約を行う。
【００５４】
さらに、録画制御部６０は、録画予約管理部６６から供給される、録画予約対象の配信元を表す情報（後述する図４の配信元３１４の内容）と録画の指令に応じて、チューナ３１を制御し、録画予約対象を受信する。そして、録画制御部６０は、その録画予約対象を補助記憶装置４０に記憶（録画）させる。
【００５５】
録画制御部６０は、録画タイトル管理部６７を制御し、録画された録画予約対象である推薦コンテンツに対応するEPG情報のうちの番組識別情報３０１を、録画タイトル情報として録画タイトル情報ＤＢ７０に記憶させる。
【００５６】
視聴制御部６２は、入力部４１から入力されるユーザの指令に応じて、ライブ放送再生部６４を制御し、そのときチューナ３１により受信されている番組のコンテンツデータ、またはサーバ２から取得されている番組のコンテンツデータを再生（表示）する。
【００５７】
また、視聴制御部６２は、録画タイトル管理部６７から供給される録画タイトル情報に基づいて、タイトルに関する情報（例えば、タイトルの名前など）（以下、タイトル情報という）を表示装置１２に表示させる。このとき、ユーザは、表示装置１２に表示されているタイトル情報を見ながら、入力部４１を操作し、視聴対象とするタイトルのタイトル情報を選択する。視聴制御部６２は、録画タイトル再生部６５を制御し、ユーザにより選択されたタイトル情報に対応するタイトルを、補助記憶装置４０から再生（表示）する。
【００５８】
複製制御部６３は、録画タイトル管理部６７から供給される録画タイトル情報に基づいて、複製対象を選択するための選択画面５０１（後述する図７）を表示装置１２に表示させる。このとき、ユーザは、表示装置１２に表示される選択画面５０１を見ながら、入力部４１を操作することにより、複製対象とするタイトルの名前などを選択する。
【００５９】
複製制御部６３は、ユーザにより選択された名前などに対応するタイトルを複製対象として、その複製対象を補助記憶装置４０から読み出し、外部インタフェース４４を介して携帯機器１４に複写する。また、複製制御部６３は、録画タイトル管理部６７を制御し、複製対象の録画タイトル情報を嗜好情報管理部６８に供給する。
【００６０】
ライブ放送再生部６４は、視聴制御部６２の制御により、チューナ３１により受信されている番組のコンテンツデータ、ネットワークインタフェース３７により取得されているコンテンツデータを、表示装置１２に表示させる。録画タイトル再生部６５は、視聴制御部６２の制御により、補助記憶装置４０に記憶されたタイトルを再生する。
【００６１】
録画予約管理部６６は、録画制御部６０の制御により、録画予約対象の録画予約を行う。具体的には、録画予約管理部６６は、EPGDB６９から録画予約対象のEPG情報の番組識別情報３０１を読み出し、その番組識別情報３０１を予約情報として、内蔵する図示せぬ記憶部に記憶させる。そして、録画予約管理部６６は、図示せぬ記憶部に記憶されている予約情報と、図示せぬ計時部により計時される現在の日時とに基づいて、録画予約対象である推薦コンテンツに対応する番組の放送開始日時に、録画制御部６０に録画予約対象の配信元を表す情報と録画の指令を供給する。
【００６２】
録画タイトル管理部６７は、録画制御部６０の制御により、録画された推薦コンテンツに対応するEPG情報の番組識別情報３０１をEPGDB６９から読み出し、録画タイトル情報として録画タイトル情報ＤＢ７０に記憶させる。また、録画タイトル管理部６７は、複製制御部６３の制御により、複製対象であるタイトルの録画タイトル情報を、録画タイトル情報ＤＢ７０から読み出し、嗜好情報管理部６８に供給する。
【００６３】
嗜好情報管理部６８は、録画タイトル管理部６７から供給される録画タイトル情報に基づいて、タイトルの操作履歴と視聴履歴を表す情報である操作視聴履歴情報３５１（後述する図５）を作成し、操作視聴履歴ＤＢ７１に記憶させる。また、嗜好情報管理部６８は、視聴制御部６２と複製制御部６３を監視し、操作視聴履歴ＤＢ７１に記憶されている操作視聴履歴情報３５１を更新する。
【００６４】
さらに、嗜好情報管理部６８は、操作視聴履歴ＤＢ７１に記憶されている操作視聴履歴情報３５１に基づいて、ユーザの嗜好情報データ４０１（後述する図６）を生成（取得）し、その嗜好情報データ４０１を嗜好情報ＤＢ７２に記憶し、管理する。また、嗜好情報管理部６８は、嗜好情報ＤＢ７２から嗜好情報データ４０１を読み出し、録画制御部６０に供給する。
【００６５】
EPG取得部７３は、チューナ３１またはネットワークインタフェース３７から供給されるEPG情報を取得し、EPGDB６９に記憶させる。
【００６６】
なお、映像記録再生装置１１がネットワーク１を介して供給されるコンテンツデータを録画する場合、EPG取得部７３は、そのコンテンツデータとともに供給される、番組識別情報３０１と同様のコンテンツデータに関する情報をネットワークインタフェース３７から取得し、EPGDB６９に記憶させる。録画制御部６０、録画予約管理部６６、および録画タイトル管理部６７は、このコンテンツデータに関する情報も、EPG情報の番組識別情報３０１として同様に処理するので、以下において、特に分けて説明する必要が無い場合、番組識別情報３０１の説明は、コンテンツデータに関する情報に対する説明も含むものとする。
【００６７】
図３は、図１の携帯機器１４のハードウェア構成例を示すブロック図である。
【００６８】
図３において、CPU１０２は、ROM１０３に記憶されているプログラム、または記憶部１０５からRAM１０４にロードされたプログラムに従って各種の処理を実行する。RAM１０４にはまた、CPU１０２が各種の処理を実行する上において必要なデータなども適宜記憶される。
【００６９】
CPU１０２、ROM１０３、およびRAM１０４は、バス１０１を介して相互に接続されている。このバス１０１にはまた、入出力インタフェース１１０も接続されている。
【００７０】
入出力インタフェース１１０には、ハードディスクなどより構成される記憶部１０５、CRT（Cathode Ray Tube)、LCD（Liquid Crystal display）などよりなるディスプレイ、スピーカなどよりなる出力部１０６、キーボード、マウスなどよりなる入力部１０７、並びにモデムなどより構成される通信部１０８が接続されている。
【００７１】
通信部１０８は、映像記録再生装置１１との通信処理を行う。例えば、通信部１０８は、映像記録再生装置１１からタイトルを受信し、記憶部１０５に記憶させることにより、タイトルを複製する。
【００７２】
入出力インタフェース１１０にはまた、必要に応じてドライブ１０９が接続され、磁気ディスク、光ディスク、光磁気ディスク、または、半導体メモリなどのリムーバブルメディア１１１が適宜装着され、それらから読み出されたコンピュータプログラムが、必要に応じて記憶部１０５にインストールされる。
【００７３】
図４は、図２のEPGDB６９に記憶されるEPG情報の番組識別情報３０１の例を示している。
【００７４】
図４において、番組識別情報３０１は、情報の種類を示す「属性」と、その「内容」の２つの項目により構成される、番組に関する各種の情報群である。番組識別情報３０１には、例えば、図４に示すように、番組ＩＤ（識別コード）３１１、放送開始日時３１２、放送終了日時３１３、配信元３１４、ジャンル３１５、名前３１６、内容３１７、および内容３１８の属性の情報が含まれる。
【００７５】
番組ＩＤ３１１は、放送予定の番組を識別するためのＩＤである。例えば、図４に示す番組識別情報３０１の番組ＩＤ３１１の内容は、「０００００００１」である。放送開始日時３１２および放送終了日時３１３は、その番組の放送スケジュールを示す情報である。例えば、図４に示す番組識別情報３０１の放送開始日時３１２の内容は「２００１／０１／０１  ０１：００：００」であり、放送終了日時３１３の内容は「２００１／０１／０１  ０１：３０：００」である。
【００７６】
なお、コンテンツデータに関する情報の場合、この放送開始日時３１２および放送終了日時３１３は、空欄であってもよいし、またはサーバにおいてそのコンテンツデータが公開されるスケジュールを示す情報であってもよい。
【００７７】
配信元３１４は、番組の配信元を示す情報である。例えば、図４に示す番組識別情報３０１の配信元３１４の内容は、「地上波放送、ＸＸｃｈ、ＹＹＹ局」であり、番組識別情報３０１に対応する番組がＹＹＹ局より、地上波放送のＸＸｃｈにおいて放送された番組であることを示している。なお、コンテンツデータに関する情報の場合、配信元３１４には、そのコンテンツデータを公開しているサーバのアドレス等が示される。
【００７８】
ジャンル３１５は、番組の内容のジャンル（種類）を示す情報であり、例えば、図４に示す番組識別情報３０１のジャンル３１５の内容は、「ニュース」である。名前３１６は、番組の名称を示す情報であり、例えば、図４に示す番組識別情報３０１の名前３１６の内容は「ＺＺＺニュース」である。
【００７９】
また、内容３１７および内容３１８は、番組の内容を示す特徴的なキーワードの情報であり、例えば、図４に示す番組識別情報３０１の内容３１７の内容は「ＡＡＡ」であり、内容３１８の内容は「ＢＢＢ」である。
【００８０】
なお、番組識別情報３０１は、図４に示す情報以外の情報を含むようにしても良いし、図４に示す情報の一部により構成されるようにしてもよい。また、番組識別情報３０１を構成する各情報が階層化されていてもよい。
【００８１】
また、録画タイトル情報は、タイトルの番組識別情報３０１であるので、録画タイトル情報は、図４の番組識別情報３０１と同一の情報群であり、図示は省略する。
【００８２】
図５は、図２の操作視聴履歴ＤＢ７１に記憶されている操作視聴履歴情報３５１の例を示している。
【００８３】
図５において、操作視聴履歴情報３５１は、情報の種類を示す「属性」と、その「内容」の２つの項目により構成される、タイトルの操作履歴と視聴履歴を表す各種の情報群である。操作視聴履歴情報３５１には、例えば、図５に示すように、タイトルＩＤ３６１、累積視聴時間３６２、視聴回数３６３、および操作回数３６４の属性の情報が含まれる。
【００８４】
タイトルＩＤ３６１は、タイトルに対応する番組の番組識別情報３０１の番組ＩＤ３１１（図４）の内容である。例えば、図５に示す操作視聴履歴情報３５１のタイトルＩＤ３６１の内容は、「０００００００１」である。累積視聴時間３６２は、タイトルが視聴された累積時間を示す情報である。例えば、図５に示す累積視聴時間３６２の内容は「００：１２：００（１２分）」である。
【００８５】
視聴回数３６３は、タイトルが視聴（再生）された回数を示す情報であり、操作回数３６４は、タイトルの再生中にユーザが操作（再生を行うための操作以外の操作）を行った回数を示す情報である。例えば、図５に示す操作視聴履歴情報３５１の視聴回数の内容は、「２」であり、操作回数３６４の内容は「６」である。
【００８６】
なお、操作視聴履歴情報３５１は、図５に示す情報以外の情報を含むようにしても良いし、図５に示す情報の一部により構成されるようにしてもよい。また、操作視聴履歴情報３５１を構成する各情報が階層化されていてもよい。
【００８７】
図６は、図２の嗜好情報ＤＢ７２に記憶されている嗜好情報データ４０１の例を示している。
【００８８】
図６に示すように、嗜好情報データ４０１は、例えば、名前をキーとして管理される嗜好情報データである名前キーワード嗜好情報４１１、タイトルの内容をキーとして管理される嗜好情報データであるキーワード嗜好情報４１２、タイトルのジャンルをキーとして管理される嗜好情報データであるジャンル嗜好情報４１３、タイトルの放送時間帯をキーとして管理される放送時間帯嗜好情報４１４、およびタイトルが放送されたチャンネル（タイトルがサーバ２より取得されたコンテンツデータの場合、そのコンテンツデータが公開されたサーバ等）をキーとして管理される嗜好情報データであるチャンネル嗜好情報４１５から構成される。
【００８９】
即ち、名前キーワード嗜好情報４１１、キーワード嗜好情報４１２、ジャンル嗜好情報４１３、放送時間帯嗜好情報４１４、およびチャンネル嗜好情報４１５は、録画タイトル情報に含まれる属性をキーとして管理されるレコード群からなるテーブルであり、レコード毎にユーザの嗜好度を示すスコアが付加されている。
【００９０】
名前キーワード嗜好情報４１１は、図４に示す名前３１６の内容をキーとするテーブルであり、キーワード（名前３１６の内容）と、そのキーワードに対するスコア（ユーザの嗜好度）とで構成されている。
【００９１】
キーワード嗜好情報４１２は、図４に示す内容３１７や内容３１８の内容、即ちタイトルの詳細説明（内容の説明や、出演者など）を構成する単語をキーとするテーブルであり、キーワード（内容３１７や内容３１８の内容を構成する単語）と、そのキーワードに対するスコアとにより構成される。
【００９２】
ジャンル嗜好情報４１３は、図４に示すジャンル３１５の内容（例えば、バラエティ、報道、ドラマ、ドキュメンタリ、スポーツ、音楽、教育等）をキーとするテーブルであり、キーワード（ジャンル３１５の内容）と、そのキーワードに対するスコアとにより構成される。
【００９３】
放送時間帯嗜好情報４１４は、図４に示す放送開始日時３１２や放送終了日時３１３の内容をキーとするテーブルであり、放送開始日時３１２や放送終了日時３１３の内容より求められるタイトルの放送時間帯と、その放送時間帯に対するスコアとにより構成される。特に、番組においては、放送時間帯によって番組の構成に特徴があることから、このような放送時間帯に関する放送時間帯嗜好情報４１４が、ユーザの嗜好を表すために用いられる。
【００９４】
チャンネル嗜好情報４１５は、図４に示す配信元３１４の内容をキーとするテーブルであり、配信元３１４の内容より求められる、タイトルが放送されたチャンネル等（タイトルがサーバ２より取得されたコンテンツデータの場合、そのコンテンツデータが公開されたサーバ名等）の情報と、その情報に対するスコアとにより構成される。特に、番組においては、放送局（チャンネル）毎に、番組編成に特徴を有していることから、チャンネルに関するチャンネル嗜好情報４１５が、ユーザの嗜好を表すために用いられる。
【００９５】
これらのスコアは、図２の操作視聴履歴ＤＢ７１に記憶されている視聴操作履歴情報３５１（図５）に基づいて、ユーザにより視聴や操作が行われたタイトルに対応する録画タイトル情報に含まれている名前のキーワード、番組の内容のキーワード、ジャンル、放送時間帯、およびチャンネルに対する値が高く、ユーザにより視聴や操作が行われていないタイトルに対応する録画タイトル情報に含まれている名前のキーワード、番組の内容のキーワード、ジャンル、放送時間帯、およびチャンネルに対する値が低くなるように設定される。
【００９６】
例えば、ユーザにより視聴されたタイトルに対応する録画タイトル情報に含まれている構成要素（名前のキーワード、番組の内容のキーワード、ジャンル、放送時間帯、およびチャンネル）に対するスコアが１増加され、ユーザにより視聴されていないタイトルに対応する録画タイトル情報に含まれている構成要素に対するスコアが増加されないように設定される。この場合、スコアが高ければ高いほど、対応する項目（名前のキーワード、番組の内容のキーワード、ジャンル、放送時間帯、チャンネル）の嗜好度が高いということになる。
【００９７】
なお、スコアの算出方法は、上述した以外の、いかなる方法であっても良く、例えば、ユーザが視聴や操作を行わないタイトルに対応する録画タイトル情報に含まれている各項目のスコアを減少するようにしたり、項目ごとに重み付けを施すようにしたりしても良い。
【００９８】
次に、図７は、図２の複製制御部６３が表示装置１２に表示させる選択画面５０１の例を示している。
【００９９】
図７の選択画面５０１は、チェックボックス５１１、録画タイトル情報表示部５１２、実行ボタン５１３、および取り消しボタン５１４から構成される。
【０１００】
チェックボックス５１１は、録画タイトル情報表示部５１２に対応しており、録画タイトル情報表示部５１２に表示されている録画タイトル情報（に含まれる情報）に対応するタイトルを複製対象として選択するときに、操作（チェック）される。
【０１０１】
録画タイトル情報表示部５１２には、録画タイトル情報の全部または一部が表示される。図７の例では、録画タイトル情報のうちの放送開始日時、放送終了日時、および名前が表示される。即ち、図４の番組識別情報３０１の放送開始日時３１２、放送終了日時３１３、および名前３１６の内容が表示される。
【０１０２】
実行ボタン５１３は、チェックされたチェックボックス５１１に対応するタイトルの複製を実行するとき、選択（操作）される。ユーザにより実行ボタン５１３が選択される場合、複製制御部６３により、表示装置１２には、複製処理を開始する旨のメッセージが表示される。取り消しボタン５１４は、複製対象の選択を中止するとき、選択される。
【０１０３】
次に、図８を参照して、図２の映像記録再生装置１１が行う再生処理について説明する。この再生処理は、例えば、ユーザの入力部４１の操作により、タイトルの再生（視聴）が指令されたとき、開始される。
【０１０４】
ステップＳ３１において、図２の嗜好情報管理部６８は、初期化処理を行う。例えば、嗜好情報管理部６８は、視聴時間を計測するタイマと操作回数をカウントするカウンタ（いずれも図示せず）の設定値を初期値に設定する。
【０１０５】
ステップＳ３１の処理後は、ステップＳ３２に進み、嗜好情報管理部６８は、視聴制御部６２を監視し、タイトルの再生の開始のタイミングに合わせて、図示せぬタイマに視聴時間の計測を開始させ、ステップＳ３３に進む。
【０１０６】
ステップＳ３３において、嗜好情報管理部６８は、視聴制御部６２を監視し、ユーザから入力部４１に、再生処理に関する、再生を指令するための操作以外の操作（例えば、一時停止、巻き戻し、早送りなど）が入力されたかどうかを判定し、入力されたと判定した場合、ステップＳ３４に進む。
【０１０７】
ステップＳ３４において、操作回数をカウントする図示せぬカウンタの値を「＋１」カウントアップさせ、ステップＳ３５に進む。
【０１０８】
一方、ステップＳ３３において、ユーザから入力部４１に、再生処理に関する、再生を指令するための操作以外の操作が入力されていないと判定された場合、ステップＳ３４をスキップし、ステップＳ３５に進む。
【０１０９】
ステップＳ３５において、嗜好情報管理部６８は、視聴制御部６２を監視し、タイトルの再生が終了したかどうか、即ちユーザの指令によりタイトルの再生が停止されたかどうか、または再生対象（視聴対象）のタイトルのすべてが再生されたかどうかを判定する。ステップＳ３５において、タイトルの再生が終了していないと判定された場合、ステップＳ３３に戻り、タイトルの再生が終了されるまで、上述した処理が繰り返される。
【０１１０】
また、ステップＳ３５において、タイトルの再生が終了された場合、ステップＳ３６に進み、嗜好情報管理部６８は、図示せぬタイマの動作を停止させ、視聴時間の計測を終了する。
【０１１１】
ステップＳ３６の処理後は、ステップＳ３７に進み、嗜好情報管理部６８は、図示せぬカウンタよりその時点のカウント値を取得し、ステップＳ３８に進む。ステップＳ３８において、図示せぬタイマにより計測された視聴時間と、図示せぬカウンタから取得されたカウント値とに基づいて、嗜好情報管理部６８は、操作視聴履歴ＤＢ７１に記憶されている操作視聴履歴情報３５１の内容を更新する。
【０１１２】
具体的には、嗜好情報管理部６８は、いまの累積視聴時間３６２の内容（値）と、計測された視聴時間との和を、新しい累積視聴時間３６２の値とする。また、嗜好情報管理部６８は、いまの視聴回数３６３の値を１だけインクリメントする。さらに、嗜好情報管理部６８は、いまの操作回数３６４の内容(値)と、計測されたカウント値との和を、新しい操作回数３６４の値とする。
【０１１３】
なお、更新後の操作視聴履歴情報３５１の累積視聴時間３６２、視聴回数３６３、および操作回数３６４の値が、所定の閾値以上である場合、嗜好情報管理部６８は、録画タイトル管理部６７を介して、録画タイトル情報ＤＢ７０に記憶されている、いまの再生対象の録画タイトル情報を読み出し、その録画タイトル情報に基づいて、嗜好情報ＤＢ７２に記憶されている嗜好情報データ４０１を更新する。
【０１１４】
次に、図９を参照して、図２の映像記録再生装置１１がタイトルを携帯機器１４に複製する複製処理について説明する。この複製処理は、例えば、ユーザが入力部４１を操作して、図７の選択画面５０１のチェックボックス５１１をチェックし、実行ボタン５１３を選択することにより、複製の指令を行ったとき開始される。
【０１１５】
ステップＳ５１において、複製制御部６３は、入力部４１からの指令に応じて、複製対象とするタイトルを選択する。即ち、複製制御部６３は、ユーザによりチェックされたチェックボックス５１１に対応するタイトルを、複製対象とするタイトルとして選択する。
【０１１６】
ステップＳ５１の処理後は、ステップＳ５２に進み、複製制御部６３は、まだ複製されていない複製対象があるかどうかを判定し、まだ複製されていない複製対象があると判定された場合、複製制御部６３は、まだ複製されていない複製対象のうちのいずれか１つを、いまの複製対象とし、ステップＳ５３に進む。
【０１１７】
ステップＳ５３において、嗜好情報管理部６８は、操作視聴履歴情報３５１に基づいて、いまの複製対象が視聴済みであるかどうかを判定する。具体的には、嗜好情報管理部６８は、操作視聴履歴ＤＢ７１から、タイトルＩＤ３６１の内容が、いまの複製対象のタイトル情報の番組ＩＤ３１１の内容と同一である操作視聴履歴情報３５１を読み出し、その操作視聴履歴情報３５１の視聴回数３６３の内容が１以上であるかどうかを判定する。
【０１１８】
ステップＳ５３において、いまの複製対象が視聴済みであると判定された場合、即ち図８の再生処理において、累積視聴時間３６２、視聴回数３６３、または操作回数３６４の内容が既に更新されている場合、ステップＳ５４乃至Ｓ５６をスキップして、ステップＳ５７に進む。
【０１１９】
一方、ステップＳ５３において、いまの複製対象が視聴済みではないと判定された場合、ステップＳ５４に進み、嗜好情報管理部６８は、ユーザが携帯機器１４にタイトルを複製した後に行うタイトルの視聴の時間、視聴の回数、または操作の回数を推定し、操作視聴履歴ＤＢ７１に記憶されている操作視聴履歴情報３５１を更新する。
【０１２０】
具体的には、嗜好情報管理部６８は、累積視聴時間３６２、視聴回数３６３、および操作回数３６４の値をパラメータとして増減幅を決定する予め定義された関数に基づいて、操作視聴履歴情報３５１を更新する。
【０１２１】
例えば、嗜好情報管理部６８は、ユーザが携帯機器１４にタイトルを複製した場合、ユーザは、そのタイトルを１度必ず視聴すると推定して、操作視聴履歴情報３５１の視聴回数３６３の値を１だけインクリメントする。
【０１２２】
なお、上述した関数は、複製先に応じて変更されるようにしてもよい。この場合、例えば、複製先がリムーバブルメディア４３である場合、視聴する予定のないタイトルもとりあえず複製することがあることを考慮して、複製先が携帯機器１４である場合に比べて、累積視聴時間３６２、視聴回数３６３、および操作回数３６４の値の増加幅を小さくすることができる。
【０１２３】
ステップＳ５４の処理後は、ステップＳ５５に進み、嗜好情報管理部６８は、視聴操作履歴情報３５１の累積視聴時間３６２、視聴回数３６３、および操作回数３６４の値が、所定の閾値未満であるかどうかを判定し、所定の閾値未満であると判定した場合、ステップＳ５６をスキップし、ステップＳ５７に進む。
【０１２４】
一方、ステップＳ５５において、視聴操作履歴情報３５１の累積視聴時間３６２、視聴回数３６３、および操作回数３６４の値が、所定の閾値未満ではないと判定された場合、ステップＳ５６に進み、嗜好情報管理部６８は、録画タイトル管理部６７を介して、録画タイトル情報ＤＢ７０に記憶されている、いまの複製対象の録画タイトル情報を読み出し、その録画タイトル情報に基づいて、嗜好情報ＤＢ７２に記憶されている嗜好情報データ４０１を更新する。即ち、嗜好情報管理部６８は、録画タイトル情報に基づいて、いまの複製対象に対する嗜好情報データ４０１を更新する。
【０１２５】
ステップＳ５６の処理後は、ステップＳ５７に進み、複製制御部６３は、いまの複製対象を補助記憶装置４０から読み出し、その複製対象を外部インタフェース４４を介して携帯機器１４に供給することにより、いまの複製対象を携帯機器１４に複製する。そして、ステップＳ５２に戻り、すべての複製対象が複製されるまで、上述した処理を繰り返す。
【０１２６】
一方、ステップＳ５２において、まだ複製されていない複製対象がないと判定された場合、即ちすべての複製対象が複製された場合、処理を終了する。
【０１２７】
なお、上述したステップＳ５３では、嗜好情報管理部６８が、視聴回数３６３の内容が１以上であるかどうかを判定することにより、いまの複製対象が視聴済みであるかどうかを判定したが、例えば、累積視聴時間３６２の内容が、複製対象であるタイトルのすべてを視聴するために必要な時間（以下、全視聴時間という）の５０％を超えているかどうかを判定するようにしてもよい。この場合、ステップＳ５４において、嗜好情報管理部６８は、累積視聴時間３６２の内容を全視聴時間の５０％または１００％に更新する。例えば、いまの複製対象の累積視聴時間３６２の内容が全視聴時間の１０％である場合、嗜好情報管理部６８は、累積視聴時間３６２の内容を、全視聴時間の４０％または９０％分増加させる。
【０１２８】
また、操作視聴履歴情報３５１として、操作回数３６１だけでなく、操作内容の履歴も記憶させる場合、嗜好情報管理部６８は、その操作内容の履歴に基づいて、操作視聴履歴情報３５１の内容を更新するようにしてもよい。
【０１２９】
例えば、ユーザにより、複製前に短い間隔の早送り、１５秒スキップ等の操作が繰り返し行われた場合には、その操作は複製対象内のＣＭ部分をスキップする目的で行われる場合が多いため、嗜好情報管理部６８は、７０％の確率で、複製後もユーザは複製対象を視聴すると推定し、操作視聴履歴情報３５１を更新する。また、ユーザにより複製前に編集の操作が繰り返し行われた場合には、その操作は複製対象内のＣＭ部分をカットしたり、所望の部分のみを残すようにカットする目的で行われる場合が多いため、嗜好情報管理部６８は、複製後、ユーザは複製対象を何度も繰り返して視聴すると推定し、操作視聴履歴情報３５１を更新する。
【０１３０】
さらに、ユーザにより、複製前に最初の短い時間(例えば、１０秒)だけ複製対象を視聴するように操作が行われ、その後長時間何も操作が行われていない場合、嗜好情報管理部６８は、複製後もユーザは複製対象を視聴しないと推定し、操作視聴履歴情報３５１を更新する。
【０１３１】
また、上述したステップＳ５３では、いまの複製対象が視聴済みであるかどうかが判定されたが、いまの複製対象の操作視聴履歴情報３５１の累積視聴時間３６２、視聴回数３６３、または操作回数３６４の内容が閾値以上であるかどうかを判定するようにしてもよい。
【０１３２】
以上のように、携帯機器１４にタイトルが複製される場合、嗜好情報管理部６８は、携帯機器１４におけるタイトルの視聴時間、視聴回数、および操作回数を推定して操作視聴履歴情報３５１を更新し、その操作視聴履歴情報３５１に基づいて、嗜好情報データ４０１を更新する。これにより、タイトルが他の装置である携帯機器１４に複製される場合においても、そのタイトルの操作履歴や視聴履歴が蓄積され、その結果、より正確な嗜好情報データ４０１を作成することができる。
【０１３３】
次に、図１０を参照して、図２の映像記録再生装置１１がコンテンツデータを録画予約する録画予約処理について説明する。この録画予約処理は、例えば、ユーザが入力部４１を操作することにより録画予約の指令を行ったとき、開始される。
【０１３４】
ステップＳ７１において、図２の録画制御部６０は、嗜好情報管理部６８から供給される嗜好情報データ４０１とEPGDB６９に記憶されている番組識別情報３０１に基づいて、ユーザの嗜好するコンテンツデータを推定する。
【０１３５】
例えば、録画制御部６０は、名前キーワード嗜好情報４１１、キーワード嗜好情報４１２、ジャンル嗜好情報４１３、放送時間帯嗜好情報４１４、またはチャンネル嗜好情報４１５の、所定値以上のスコアに対応するキーが番組識別情報３０１の名前３１６、内容３１７と３１８、ジャンル３１５、放送開始日時３１２と放送終了日時３１３、または配信元３１４に含まれている場合、その番組識別情報３０１に対応するコンテンツデータを、ユーザの嗜好するコンテンツデータとして推定する。
【０１３６】
そして、録画制御部６０は、その推定されたコンテンツデータを推薦コンテンツとし、その推薦コンテンツの番組識別情報３０１に基づいて、推薦コンテンツ情報を提示部６１に供給する。
【０１３７】
ステップＳ７１の処理後は、ステップＳ７２に進み、提示部６１は、録画制御部６０からの推薦コンテンツ情報を、表示装置１２に提示（表示）する。ここで、ユーザは、表示装置１２に提示される推薦コンテンツ情報を見ながら、入力部４１を操作することにより、録画予約対象とするコンテンツデータの推薦コンテンツ情報を選択する。
【０１３８】
ステップＳ７２の処理後は、ステップＳ７３に進み、録画予約制御部６０は、入力部４１から供給されるユーザの指令に基づいて、ユーザにより録画予約対象とするコンテンツデータの推薦コンテンツ情報が選択されたかどうかを判定し、ユーザにより推薦コンテンツ情報が選択されていないと判定した場合、推薦コンテンツ情報が選択されるまで待機する。
【０１３９】
一方、ステップＳ７３において、ユーザにより録画予約対象とするコンテンツデータの推薦コンテンツ情報が選択されたと判定された場合、録画制御部６０は、録画予約対象の番組ＩＤ３１１の内容を録画予約管理部６６に供給して、ステップＳ７４に進む。
【０１４０】
ステップＳ７４において、録画予約管理部６６は、録画制御部６０からの番組ＩＤ３１１の内容に基づいて、EPGDB６９から録画予約対象の番組識別情報３０１を取得し、内蔵する記憶部に記憶させることにより、録画予約を行う。
【０１４１】
この後、録画予約管理部６６は、内蔵する記憶部に記憶されている番組識別情報３０１の放送開始日時３１２の内容と、図示せぬ計時部により計時された現在の日時とに基づいて、録画予約対象の放送開始日時に、配信元３１４の内容を表す情報と録画の指令を録画制御部６０に供給する。録画制御部６０は、その配信元３１４の内容を表す情報と録画の指令に基づいて、放送開始日時にチューナ３１を制御して録画予約対象を受信し、その録画予約対象を補助記憶装置４０に記憶する。
【０１４２】
録画制御部６０は、録画予約対象の補助記憶装置４０への記憶を完了すると、その録画予約対象の番組識別情報３０１の番組ＩＤ３１１の内容を、録画タイトル管理部６７に供給する。録画タイトル管理部６７は、その番組ＩＤ３１１の内容に基づいて、EPGDB６９から録画予約対象の番組識別情報３０１を読み出し、録画タイトル情報として録画タイトル情報ＤＢ７０に記憶させ、録画タイトル情報の番組ＩＤを嗜好情報管理部６８に供給する
【０１４３】
嗜好情報管理部６８は、録画タイトル管理部６７から供給される番組ＩＤに基づいて、その番組ＩＤをタイトルＩＤ３６１の内容とする、録画予約対象の操作視聴履歴情報３５１を作成し、操作視聴履歴情報ＤＢ７１に記憶する。
【０１４４】
以上のように、図２の映像記録再生装置１１は、嗜好情報データ４０１に基づいて、ユーザの嗜好するコンテンツデータを推定し、その推定したコンテンツデータを推薦コンテンツとして、その推薦コンテンツの推薦コンテンツ情報を提示するので、上述した図９の複製処理において、より正確な嗜好情報データ４０１を作成することにより、よりユーザの嗜好に合った推薦コンテンツをユーザに提供することができる。
【０１４５】
これにより、ユーザが、恒常的に、映像記録再生装置１１に録画されているタイトルを、携帯機器１４に複製して視聴する場合においても、映像記録再生装置１１において、よりユーザの嗜好に合った推薦コンテンツを提供することができる。
【０１４６】
図１１は、図１の映像記録再生装置１１の他の機能的構成例を示すブロック図である。
【０１４７】
図１１の映像記録再生装置１１では、図２の映像記録再生装置１１の複製制御部６３と嗜好情報管理部６８の代わりに、複製制御部７０１と嗜好情報管理部７０２が設けられており、タイトルを複製する場合、複製対象とするタイトルとともに、複製対象の操作視聴履歴情報３５１（図５）を複製する。なお、図２と同一のものには同一の符号を付してあり、説明は省略する。
【０１４８】
複製制御部７０１は、図２の複製制御部６３と同様に、録画タイトル管理部６７から供給される録画タイトル情報に基づいて、複製対象を選択するための選択画面５０１（図７）を表示装置１２に表示させる。また、複製制御部７０１は、入力部４１からの指令に応じて、ユーザによりチェックされたチェックボックス５１１に対応するタイトルを複製対象として、その複製対象を補助記憶装置４０から読み出す。
【０１４９】
そして、複製制御部７０１は、録画タイトル管理部６７を制御し、複製対象の録画タイトル情報の番組ＩＤを嗜好情報管理部７０２に供給する。複製制御部７０１は、嗜好情報管理部７０２から供給される操作視聴履歴情報３５１（図５）と複製対象を、複製した映像記録再生装置１１を特定するための特定情報を付加して、図１の外部インタフェース４４を介して携帯機器１４に複写する。なお、特定情報は、映像記録再生装置１１に固有のＩＤであってもよいし、複製制御部７０１が複製した日時（以下、複製日時という）を管理する場合、複製日時などであってもよい。
【０１５０】
また、複製制御部７０１は、携帯機器１４から操作視聴履歴情報３５１と特定情報を読み出し、その特定情報に基づいて、操作視聴履歴情報３５１を嗜好情報管理部７０２に供給する。
【０１５１】
嗜好情報管理部７０２は、図２の嗜好情報管理部６８と同様に、録画タイトル管理部６７から供給される録画タイトル情報に基づいて、操作視聴履歴情報３５１を作成し、操作視聴履歴ＤＢ７１に記憶させる。また、嗜好情報管理部７０２は、視聴制御部６２と複製制御部７０１を監視し、操作視聴履歴ＤＢ７１に記憶されている操作視聴履歴情報３５１を更新する。
【０１５２】
また、嗜好情報管理部７０２は、図２の嗜好情報管理部６８と同様に、操作視聴履歴ＤＢ７１に記憶されている操作視聴履歴情報３５１に基づいて、ユーザの嗜好情報データ４０１を生成し、その嗜好情報データ４０１を嗜好情報ＤＢ７２に記憶し、管理する。
【０１５３】
さらに、嗜好情報管理部７０２は、録画タイトル管理部６７から供給される複製対象の録画タイトル情報の番組ＩＤに基づいて、複製対象の操作視聴履歴情報３５１を操作視聴履歴ＤＢ７１から読み出し、複製制御部７０１から供給する。
【０１５４】
また、嗜好情報管理部７０２は、複製制御部７０１から供給される操作視聴履歴情報３５１に基づいて、操作視聴履歴ＤＢ７１に記憶されている操作視聴履歴情報３５１を更新する。
【０１５５】
図１２は、図１１の映像記録再生装置１１に外部インタフェース４４を介して接続されている携帯機器１４の機能的構成例を示すブロック図である。
【０１５６】
図１２の携帯機器１４は、視聴制御部９０１、再生部９０２、嗜好情報管理部９０３、および操作視聴履歴ＤＢ９０４から構成される。
【０１５７】
視聴制御部９０１は、図３の入力部１０７から入力されるユーザの指令に応じて、再生部９０２を制御し、記憶部１０５に記憶されているタイトルを再生（表示）する。再生部９０２は、視聴制御部９０１の制御によりタイトルを再生する。
【０１５８】
嗜好情報管理部９０３は、視聴制御部６２を監視し、操作視聴履歴ＤＢ９０４に記憶されている操作視聴履歴情報３５１を更新する。操作視聴履歴ＤＢ９０４は、図１１の複製制御部７０１から供給される操作視聴履歴情報３５１と、それに付加された特定情報を対応付けて記憶する。
【０１５９】
次に、図１３を参照して、図１１の映像記録再生装置１１がタイトルを携帯機器１４に複製する複製処理について説明する。この複製処理は、例えば、ユーザが入力部４１を操作して、図７の選択画面５０１のチェックボックス５１１をチェックし、実行ボタン５１３を選択することにより、複製の指令を行ったとき開始される。
【０１６０】
ステップＳ９１とＳ９２の処理は、図９のステップＳ５１とＳ５２の処理と同様であるので、説明は省略する。
【０１６１】
ステップＳ９２の処理後は、ステップＳ９３に進み、複製制御部７０１は、いまの視聴対象の録画タイトル情報の番組ＩＤを、嗜好情報管理部７０２に供給し、ステップＳ９４に進む。
【０１６２】
ステップＳ９４において、嗜好情報管理部７０２は、タイトルＩＤ３６１の内容がステップＳ９３で供給された番組ＩＤと同一である操作視聴履歴情報３５１を、操作視聴履歴ＤＢ７１から読み出し、複製制御部７０１に供給して、ステップＳ９５に進む。
【０１６３】
ステップＳ９５において、複製制御部７０１は、いまの複製対象であるタイトルと、ステップＳ９４で供給される操作視聴履歴情報３５１とを、特定情報を付加して、外部インタフェース４４を介して、携帯機器１４の記憶部１０５に複製し、処理を終了する。
【０１６４】
以上のようにして、ユーザは、タイトルを図１２の携帯機器１４に複製すると、例えば、携帯機器１４を図１１の映像記録再生装置１１から外して持ち運び、所望の場所で、複製されたタイトルを視聴する。具体的には、視聴制御部９０１は、ユーザからの視聴（再生）の指令に応じて、再生部９０２を制御し、記憶部１０５に複製された再生対象とするタイトルを再生する。
【０１６５】
また、視聴制御部９０１は、ユーザからの再生以外の再生に関する処理を行うための、入力部１０７の操作に応じて、再生部９０２による再生を制御する。嗜好情報管理部９０３は、視聴制御部９０１を監視し、タイトルの視聴時間、視聴回数、または操作回数に基づいて、操作視聴履歴ＤＢ９０４の操作視聴履歴情報３５１を更新する。
【０１６６】
ユーザは、例えば、図１２の携帯機器１４に新たなタイトルを複製する場合、図１１の映像記録再生装置１１に再度携帯機器１４を接続する。このとき、図１１の映像記録再生装置１１は、携帯機器１４の操作視聴履歴ＤＢ９０４の操作視聴履歴情報３５１と特定情報を読み出し、その操作視聴履歴情報３５１と特定情報に基づいて、操作視聴履歴ＤＢ７１に記憶されている操作視聴履歴情報３５１を更新する。
【０１６７】
この図１１の映像記録再生装置１１が操作視聴履歴情報３５１を更新する操作視聴履歴情報更新処理を、図１４を参照して説明する。この操作視聴履歴情報更新処理は、例えば、映像記録再生装置１１に携帯機器１４が接続されたとき開始される。
【０１６８】
ステップＳ１１１において、複製制御部７０１は、携帯機器１４の操作視聴履歴ＤＢ９０４から操作視聴履歴情報３５１と特定情報を読み出し（受信し）、ステップＳ１１２に進む。
【０１６９】
ステップＳ１１２において、複製制御部７０１は、特定情報に基づいて、ステップＳ１１１で読み出された操作視聴履歴情報３５１に、自分自身が複製したタイトルの操作視聴履歴情報３５１があるかどうかを判定する。
【０１７０】
具体的には、例えば、特定情報が映像記録再生装置１１のＩＤである場合、複製制御部７０１は、自分自身に付されている映像記録再生装置１１のＩＤと特定情報とが一致するかどうかを判定する。また、特定情報が複製日時である場合、視聴制御部７０１は、自分自身が管理する複製日時と特定情報とが一致するかどうかを判定する。
【０１７１】
ステップＳ１１２において、自分自身が複製したタイトルの操作視聴履歴情報３５１があると判定された場合、ステップＳ１１３に進み、複製制御部７０１は、自分自身が複製したタイトルの操作視聴履歴情報３５１を、嗜好情報管理部７０２に供給し、ステップＳ１１４に進む。
【０１７２】
ステップＳ１１４において、嗜好情報管理部７０２は、ステップＳ１１３で供給される操作視聴履歴情報３５１のタイトルＩＤ３６１に基づいて、そのタイトルＩＤ３６１と同一のタイトルＩＤ３６１に対応する操作視聴履歴情報３５１を、ステップＳ１１３で供給される操作視聴履歴情報３５１に更新する。
【０１７３】
ステップＳ１１４の処理後は、ステップＳ１１５に進み、嗜好情報管理部７０２は、視聴操作履歴情報３５１の累積視聴時間３６２、視聴回数３６３、および操作回数３６４の値が、所定の閾値未満であるかどうかを判定し、所定の閾値未満であると判定した場合、処理を終了する。
【０１７４】
一方、ステップＳ１１５において、視聴操作履歴情報３５１の累積視聴時間３６２、視聴回数３６３、および操作回数３６４の値が、所定の閾値未満ではないと判定された場合、ステップＳ１１６に進み、嗜好情報管理部７０２は、録画タイトル管理部６７を介して、録画タイトル情報ＤＢ７０に記憶されている、ステップＳ１１４で更新された操作視聴履歴情報３５１に対応する録画タイトル情報を読み出し、その録画タイトル情報に基づいて、嗜好情報ＤＢ７２に記憶されている嗜好情報データ４０１を更新して、処理を終了する。
【０１７５】
なお、ステップＳ１１５とＳ１１６は、ステップＳ１１４で更新された操作視聴履歴情報ごとに行われる。
【０１７６】
一方、ステップＳ１１２において、自分自身が複製したタイトルの操作視聴履歴情報３５１がないと判定された場合、ステップＳ１１３とＳ１１４をスキップし、処理は終了する。
【０１７７】
以上のように、図１１の映像記録再生装置１１は、図１２の携帯機器１４から、自分自身が複製したタイトルの、携帯機器１４における視聴時間、視聴回数、および操作回数が反映された操作視聴履歴情報３５１を取得して、自分自身が記憶する操作視聴履歴情報３５１を更新するので、その操作視聴履歴情報３５１に基づいて作成される嗜好情報データ４０１が、より正確なものになる。
【０１７８】
なお、上述した説明では、推薦コンテンツのうち、録画予約対象とするコンテンツデータを、ユーザが選択するようにしたが、ユーザが選択せずに、自動的に推薦コンテンツを録画予約するようにしてもよい。また、推薦コンテンツのうち、対応する嗜好情報データ４０１が所定の閾値を超えるものは自動的に録画予約され、それ以外のものは、ユーザにより録画予約対象として選択されたもののみが録画予約されるようにしてもよい。
【０１７９】
また、操作回数３６４は、タイトルの再生中にユーザが行った再生に関する操作だけでなく、ユーザがコンテンツデータを録画するための操作を行った回数も示すようにしてもよい。
【０１８０】
以上のように、映像記録再生装置１１では、複製対象が複製される場合、嗜好情報管理部６８が、その複製対象のタイトルに対する嗜好情報データ４０１を更新するようにしたので、より正確に嗜好情報データ４０１を取得することができる。
【０１８１】
なお、本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１８２】
また、本発明の実施の形態は、上述した実施の形態に限定されるものではなく、本発明の要旨を逸脱しない範囲において種々の変更が可能である。
【図面の簡単な説明】
【０１８３】
【図１】本発明を適用した映像記録再生装置の一実施の形態の構成例を示すブロック図である。
【図２】映像記録再生装置の機能的構成例を示すブロック図である。
【図３】携帯機器のハードウェア構成例を示すブロック図である。
【図４】番組識別情報の例を示す図である。
【図５】操作視聴履歴情報の例を示す図である。
【図６】嗜好情報データの例を示す図である。
【図７】選択画面の例を示す図である。
【図８】再生処理を説明するフローチャートである。
【図９】複製処理を説明するフローチャートである。
【図１０】録画予約処理を説明するフローチャートである。
【図１１】映像記録再生装置の他の機能的構成例を示すブロック図である。
【図１２】携帯機器の機能的構成例を示すブロック図である。
【図１３】複製処理を説明するフローチャートである。
【図１４】操作視聴履歴情報更新処理を説明するフローチャートである。
【符号の説明】
【０１８４】
１１  映像記録再生装置，  １４  携帯機器，３１  チューナ，３５  CPU，  ３９  主記憶装置，  ４０  補助記憶装置，  ４１  入力部，  ４３  リムーバブルメディア，  ６０  録画制御部，  ６１  提示部，  ６２  視聴制御部，  ６３  複製制御部，  ６８  嗜好情報管理部，  ７１  操作視聴履歴ＤＢ，  ７２  嗜好情報ＤＢ，  １０２  ＣＰＵ，  １０３  ＲＯＭ，  １０４  ＲＡＭ，  １０５  記憶部，  １１１  リムーバブルメディア，  ７０１  複製制御部，  ７０２  嗜好情報管理部，  ９０３  嗜好情報管理部，  ９０４  操作視聴履歴ＤＢ
【図１】
0004581929.tif 000002
【図２】
0004581929.tif 000003
【図３】
0004581929.tif 000004
【図４】
0004581929.tif 000005
【図５】
0004581929.tif 000006
【図６】
0004581929.tif 000007
【図７】
0004581929.tif 000008
【図８】
0004581929.tif 000009
【図９】
0004581929.tif 000010
【図１０】
0004581929.tif 000011
【図１１】
0004581929.tif 000012
【図１２】
0004581929.tif 000013
【図１３】
0004581929.tif 000014
【図１４】
0004581929.tif 000015